(57)【要約】【課題】屈筋を使って身体を上手く動かす能力を高めて体のバランスを良くすることができる中敷きおよび履物を提供する。【解決手段】足底２１に対応した中敷き本体１０の足長軸Ａに直行し、最長幅間隔線ｗの中間点ｏを支点として、前記最長幅間隔線ｗを直径とする範囲１１に、中敷き本体１０の厚みよりも薄い凹部１２と、中敷き本体１０の厚みよりも厚い凸部１３とが陰陽模様を形成するように設けられ、前記凹部１２は前記最長幅間隔線ｗよりも踵Ｈ側に形成され、前記凸部１３は前記最長幅間隔線ｗよりもつま先Ｔ側に形成され、前記凹部１２は、前記最長幅間隔線ｗの半径を直径とする半円分だけ、母趾Ｇ側の範囲が凸部側に拡張され、前記最長幅間隔線ｗの半径を直径とする半円分だけ、小趾Ｌ側の範囲が縮小され、前記凸部１３は、前記半円分だけ、母趾Ｇ側の範囲が縮小され、前記半円分だけ、小趾Ｌ側の範囲が凹部１２側に拡張された中敷き１。【選択図】  図１
2019150225.tif 000002
【特許請求の範囲】
【請求項１】
足底に対応した中敷き本体において、足長軸に直行し、かつ、最も幅が広い部分間を結ぶ最長幅間隔線の中間点を支点として、前記最長幅間隔線を直径とする円の範囲に、中敷き本体の厚みよりも薄く凹設された凹部と、中敷き本体の厚みよりも厚く凸設された凸部とが陰陽模様を形成するように設けられ、
前記凹部は前記最長幅間隔線よりも踵側に形成され、前記凸部は前記最長幅間隔線よりもつま先側に形成され、
前記凹部は、前記最長幅間隔線の半径を直径とする半円分だけ、母趾側の範囲が凸部側に拡張され、前記最長幅間隔線の半径を直径とする半円分だけ、小趾側の範囲が縮小され、
前記凸部は、前記最長幅間隔線の半径を直径とする半円分だけ、母趾側の範囲が縮小され、前記最長幅間隔線の半径を直径とする半円分だけ、小趾側の範囲が凹部側に拡張されたことを特徴とする中敷き。
【請求項２】
前記凹部は、当該凹部よりも踵側の中敷き本体との境界部分からつま先側に移行するにしたがって段階的に中敷き本体の厚みから凹部の厚みへと厚みが変化するテーパ面が形成された請求項１に記載の中敷き。
【請求項３】
前記凸部の拡張された小趾側の範囲には、つま先側から踵側に移行するにしたがって段階的に凸部の厚みから凹部の厚みへと厚みが変化するテーパ面が形成された請求項１または２に記載の中敷き。
【請求項４】
前記凸部は、当該凸部よりもつま先側の中敷き本体との境界部分から踵側に移行するにしたがって段階的に中敷き本体の厚みから凸部の厚みへと厚みが変化するテーパ面が形成された請求項１ないし３の何れか一に記載の中敷き。
【請求項５】
前記凹部および凸部は、最長幅間隔線を基準とした凹部および凸部の位置から、最長幅間隔線の中間点を支点として２０度内旋した位置までの範囲の所望の内旋位置に設けられたものである請求項１ないし４の何れかに記載の中敷き。
【請求項６】
前記凹部は、当該凹部よりも踵側の中敷き本体が全て凹部と同じ厚みとなされた請求項１、３、４の何れか一に記載の中敷き。
【請求項７】
前記凸部は、当該凸部よりもつま先側の中敷き本体が全て凸部と同じ厚みとなされた請求項１、２、３の何れか一に記載の中敷き。
【請求項８】
前記凹部は、前記凸部と前記中敷き本体とが凹部よりも厚い同じ厚みとなされて、中敷き本体に凹部のみが設けられてなる請求項１または２に記載の中敷き。
【請求項９】
前記凸部は、前記凹部と前記中敷き本体とが凸部よりも薄い同じ厚みとなされて、中敷き本体に凸部のみが設けられてなる請求項１または４に記載の中敷き。
【請求項１０】
前記凹部は、前記最長幅間隔線の母趾側の半径を直径とする円の中心部に、突起部が形成された請求項１ないし８の何れか一に記載の中敷き。
【請求項１１】
前記凸部は、前記最長幅間隔線の小趾側の半径を直径とする円の中心部に、窪み部が形成された請求項１ないし７，９の何れか一に記載の中敷き。
【請求項１２】
足底が当接される当接面が、前記請求項１ないし１１の何れか一に記載の中敷きと同じ構成で形成されたことを特徴とする履物。
【発明の詳細な説明】
【技術分野】
【０００１】
本発明は、履物と、履物内に入れて使用する中敷きとに関するものである。
【背景技術】
【０００２】
一般に、足裏の屈筋は、踵外側から母趾球に力を伝えていくようになっており、裸足で歩くと、踵（後方外側）から母趾球（前方内側）に力が伝わり、しなる形で遅れて小趾（前方外側）が着地する。しかし、靴を履いて歩く場合には、靴底が板状になっているので、踵（後方外側）から小趾（前方外側）へ、そして小趾（前方外側）から母趾（前方内側）へという流れで力が伝わってしまい、踵部と小趾部分とにしか荷重が載らない人が多く、屈筋が上手く機能できず、身体、特に脚の疲労や怪我に悩まされている人が多い。
【０００３】
そこで、靴を長時間履いた際の疲労を軽減するためのものとして、中足骨の骨頭に対応する箇所に突起を形成し、当該突起による中足骨の骨頭の刺激により屈筋の働きを高めるとともに、母趾および小趾の踏ん張りを高めることが行われている。
【０００４】
従来より、このような中足骨の骨頭を刺激するものとしては、例えば、中足骨の骨頭に該当する位置に中足骨バーを形成するとともに、母趾の付け根部分にその形状に合わせたボールジョイント対応部を穿設した靴が提案されている（例えば、特許文献１参照）。
【先行技術文献】
【特許文献】
【０００５】
【特許文献１】特開２００４−２９０６４２号公報
【発明の概要】
【発明が解決しようとする課題】
【０００６】
上記靴においては、中足骨バーは、足の幅方向に直線状に盛り上げて形成されて、中足骨に対応することが前提となっており、ボールジョイント対応部は、母趾の付け根部分の形状に合わせて穿設して形成されており、母趾の付け根部分に対応することとなっている。
【０００７】
しかし、実際のところ、人の足の形状は、エジプト型、ギリシャ型、スクェア型といった形状に区別されていたりして、千差万別であるため、ボールジョイント対応部に母趾の付け根部分を対応させても、中足骨バーは、全ての足指の中足骨の骨頭に対応していない。また、上記従来の靴のように、母趾の付け根部分の形状に合わせて穿設された孔の場合、母趾球が固定され過ぎてしまい、母趾からの感覚を上手くフィードバックすることができない。
【０００８】
また、本来であれば、中足骨バーは、中足骨の骨頭部分に当たるようにして使用しなければならないが、一般の使用者は、中足骨の先にあり、地面から浮いている基節骨下の空間の方が納まりが良いため、この部分に中足骨バーを納めた状態で靴を履こうとしてしまう。この場合、短趾屈筋は、中節骨に停止しているため、基節骨下の空間に納まったとしても、感覚受容器を通じて中足骨バーからの刺激を受けることができるが、短小趾屈筋や短母趾屈筋は中足骨側の基節骨に停止しているため、基節骨下の空間に納まってしまうと、中足骨バーからの刺激を受けることができず、結果、短趾屈筋の働きだけが高められてしまい、母趾荷重が得られ難くなり、中足骨バー本来の機能が発揮できなくなってしまうどころか、小趾荷重を高めてしまうこととなる。
【０００９】
本発明は、係る実情に鑑みてなされたものであって、屈筋を使って身体を上手く動かす能力を高めて体のバランスを良くすることができる中敷きおよび履物を提供することを目的としている。
【課題を解決するための手段】
【００１０】
上記課題を解決するための本発明の中敷きは、足底に対応した中敷き本体において、足長軸に直行し、かつ、最も幅が広い部分間を結ぶ最長幅間隔線の中間点を支点として、前記最長幅間隔線を直径とする円の範囲に、中敷き本体の厚みよりも薄く凹設された凹部と、中敷き本体の厚みよりも厚く凸設された凸部とが陰陽模様を形成するように設けられ、前記凹部は前記最長幅間隔線よりも踵側に形成され、前記凸部は前記最長幅間隔線よりもつま先側に形成され、前記凹部は、前記最長幅間隔線の半径を直径とする半円分だけ、母趾側の範囲が凸部側に拡張され、前記最長幅間隔線の半径を直径とする半円分だけ、小趾側の範囲が縮小され、前記凸部は、前記最長幅間隔線の半径を直径とする半円分だけ、母趾側の範囲が縮小され、前記最長幅間隔線の半径を直径とする半円分だけ、小趾側の範囲が凹部側に拡張されたものである。
【００１１】
前記凹部は、当該凹部よりも踵側の中敷き本体との境界部分からつま先側に移行するにしたがって段階的に中敷き本体の厚みから凹部の厚みへと厚みが変化するテーパ面が形成されたものであってもよい。
【００１２】
前記凸部の拡張された小趾側の範囲には、つま先側から踵側に移行するにしたがって段階的に凸部の厚みから凹部の厚みへと厚みが変化するテーパ面が形成されたものであってもよい。
【００１３】
前記凸部は、当該凸部よりもつま先側の中敷き本体との境界部分から踵側に移行するにしたがって段階的に中敷き本体の厚みから凸部の厚みへと厚みが変化するテーパ面が形成されたものであってもよい。
【００１４】
前記凹部および凸部は、最長幅間隔線を基準とした凹部および凸部の位置から、最長幅間隔線の中間点を支点として２０度内旋した位置までの範囲の所望の内旋位置に設けられたものであってもよい。
【００１５】
前記凹部は、当該凹部よりも踵側の中敷き本体が全て凹部と同じ厚みとなされたものであってもよい。
【００１６】
前記凸部は、当該凸部よりもつま先側の中敷き本体が全て凸部と同じ厚みとなされたものであってもよい。
【００１７】
前記凹部は、前記凸部と前記中敷き本体とが凹部よりも厚い同じ厚みとなされて、中敷き本体に凹部のみが設けられてなるものであってもよい。
【００１８】
前記凸部は、前記凹部と前記中敷き本体とが凸部よりも薄い同じ厚みとなされて、中敷き本体に凸部のみが設けられてなるものであってもよい。
【００１９】
前記凹部は、前記最長幅間隔線の母趾側の半径を直径とする円の中心部に、突起部が形成されたものであってもよい。
【００２０】
前記凸部は、前記最長幅間隔線の小趾側の半径を直径とする円の中心部に、窪み部が形成されたものであってもよい。
【００２１】
上記課題を解決するための本発明の履物は、足底が当接される当接面が、前記請求項１ないし１１の何れか一に記載の中敷きと同じ構成で形成されたものである。
【発明の効果】
【００２２】
以上述べたように、本発明によると、足底に対応した中敷き本体の最も幅が広い部分間を結ぶ最長幅間隔線の中間点を支点として、前記最長幅間隔線を直径とする円の範囲に陰陽模様の凹部と凸部とを設け、前記凹部は前記最長幅間隔線よりも踵側に形成し、前記凸部は前記最長幅間隔線よりもつま先側に形成し、前記凹部は、前記最長幅間隔線の半径を直径とする半円分だけ、母趾側の範囲が凸部側に拡張し、前記最長幅間隔線の半径を直径とする半円分だけ、小趾側の範囲が縮小し、前記凸部は、前記最長幅間隔線の半径を直径とする半円分だけ、母趾側の範囲が縮小し、前記最長幅間隔線の半径を直径とする半円分だけ、小趾側の範囲が凹部側に拡張しているので、この中敷きを使用すると、使用者の足底は、凸部のある小趾側に対して凹部のある母趾側が低くなり、当該凹部に母趾球が落ち込む。したがって、使用者は、母趾側に荷重が加わり易くなる。しかも、当該凹部と凸部との境界部分の段差によって、各足趾の中足骨の骨頭を圧迫し、それによって生じる神経反射により各足趾の末端が屈曲し易くなって地面に対する支持力が向上する。また、これにより、使用者は、屈筋群が使用し易くなり、効率良く身体を動かすことができるとともに、屈筋群の機能向上によって、伸筋群に偏った運動が改善され、ボディバランスが向上する。また、母趾は、凹部の拡張された範囲に納まっても踵方向には十分なスペースがあるので、母趾の位置を過度に決めてしまうことにならず、しかも、小趾は、凸部の拡張された範囲が十分にあるので、当該凸部を基節骨下の空間に納めてしまうようなことにならず、前記した中足骨の骨頭を圧迫することによる神経反射によって各足趾の屈筋を使い易くすることができる。
【図面の簡単な説明】
【００２３】
【図１】（ａ）は本発明に係る中敷きを示す平面図、（ｂ）は同図（ａ）におけるI-I線断面図である。
【図２】本発明に係る他の中敷きを示す平面図である。
【図３】（ａ）は本発明に係る中敷きの凹部と中敷き本体との間におけるテーパ面を説明する平面図、および同平面図のIIIa-IIIa線断面図、（ｂ）はテーパ面の他の実施の形態を示す平面図、および同平面図のIIIb-IIIb線断面図、（ｃ）はテーパ面のさらに他の実施の形態を示す平面図、および同平面図のIIIc-IIIc線断面図である。
【図４】（ａ）は本発明に係る中敷きの凸部と中敷き本体との間におけるテーパ面を説明する平面図、および同平面図のIVa-IVa線断面図、（ｂ）はテーパ面の他の実施の形態を示す平面図、および同平面図のIVb-IVb線断面図、（ｃ）はテーパ面のさらに他の実施の形態を示す平面図、および同平面図のIVc-IVc線断面図である。
【図５】（ａ）は本発明に係る中敷きの凸部と凹部との間におけるテーパ面を説明する平面図、および同平面図のVa-Va線断面図、（ｂ）はテーパ面の他の実施の形態を示す平面図、および同平面図のVb-Vb線断面図、（ｃ）はテーパ面のさらに他の実施の形態を示す平面図、および同平面図のVc-Vc線断面図である。
【図６】（ａ）は本発明に係る中敷きの他の実施の形態を示す平面図および同平面図のVIa-VIa線断面図、（ｂ）は中敷きの他の実施の形態を示す平面図、および同平面図のVIb-VIb線断面図、（ｃ）は中敷きのさらに他の実施の形態を示す平面図、および同平面図のVIc-VIc線断面図である。
【図７】（ａ）は本発明に係る中敷きの他の実施の形態を示す平面図、（ｂ）は同平面図のVII-VII線断面図、（ｃ）は同平面図のVII-VII線断面図におけるさらに他の実施の形態を示す断面図である。
【図８】（ａ）は本発明に係る中敷きの他の実施の形態を示す平面図、（ｂ）は同平面図のVIII-VIII線断面図、（ｃ）は同平面図のVIII-VIII線断面図におけるさらに他の実施の形態を示す断面図である。
【図９】（ａ）は本発明に係る中敷きのさらに他の実施の形態を示す平面図、（ｂ）は同平面図のIXb-IXb線断面図、（ｃ）は同平面図のIXc-IXc線断面図である。
【発明を実施するための形態】
【００２４】
以下、本発明に係る実施の形態を、図面を参照して説明する。
【００２５】
図１は中敷き１の全体構成の概略を示し、図２ないし図９は当該中敷き１の他の実施の形態を示している。
【００２６】
すなわち、本発明の中敷き１は、使用者（図示省略）の足２の足底２１に対応した中敷き本体１０において、足長軸Ａに直行し、最も幅が広い部分間を結ぶ最長幅間隔線ｗの中間点ｏを支点として、当該最長幅間隔線ｗを直径とする円の賦形範囲１１に、陰陽模様の凹部１２と凸部１３とが形成されてなるものである。
【００２７】
中敷き本体１０は、使用者の足２の足底２１に対応して、当該使用者が履く靴３の内部に挿入することができる大きさに形成されており、使用者の足２の大きさに合わせて、子供用、女性用、男性用に分かれており、サイズ毎に複数の大きさ違いのものが用意されている。中敷き本体１０のつま先部１４および踵部１５は、靴３にあわせて切断することで、サイズ調整できるようになされている。中敷き本体１０は、凹部１２および凸部１３を除き、全体が約２ｍｍの均一の厚みに形成されている。この中敷き本体１０としては、ＥＶＡ、ウレタン、ポリエステルなどの樹脂材料の発泡体で構成されたものであってもよいし、天然繊維または合成繊維からなる織布または不織布と、前記発泡体とを複合して構成したものであってもよいし、コルクなどの天然材料を立体賦形して構成したものであってもよい。
【００２８】
中敷き本体１０は、当該中敷き本体１０を使用した状態で、使用者の足２の小趾Ｌ側の外郭線に対応する部分が、踵Ｈから小趾Ｌにかけて略直線となるように形成されているのに対して、母趾Ｇ側の外郭線に対応する部分はアーチ部分から母趾Ｇ側に向かうにしたがって内側に約２０度屈曲し、母趾球Ｂに相当する部分で最も幅が広くなり、その後、小趾Ｌおよび母趾Ｇから、つま先Ｔにかけて先細りになる形状に形成されている。
【００２９】
賦形範囲１１は、上記中敷き本体１０の最も幅が広い部分間を結ぶ最長幅間隔線ｗの中間点ｏを支点として、当該最長幅間隔線ｗを直径とする範囲に、陰陽模様の凹部１２と凸部１３とを形成して構成されている。
【００３０】
凹部１２は、賦形範囲１１のうち、最長幅間隔線ｗよりも踵Ｈ側の空間に、中敷き本体１０よりも１ｍｍ低く凹設されて形成されている。ただし、この凹部１２は、最長幅間隔線ｗの中間点ｏよりも内側の半径部分、すなわち母趾Ｇ側の最長幅間隔線ｗの半径部分からつま先Ｔ側に、当該半径を直径とする半円分だけ拡張されている。また、凹部１２は、最長幅間隔線ａの中間点ｏよりも外側の半径部分、すなわち小趾Ｌ側の最長幅間隔線ｗの半径部分から踵Ｈ側に、当該半径を直径とする半円分だけ縮小されている。
【００３１】
一方、賦形範囲１１の残りには、凸部１３が形成されている。すなわち、凸部１３は、賦形範囲１１のうち、最長幅間隔線ｗよりもつま先Ｔ側の空間に、中敷き本体１０よりも２ｍｍ高く凸設されて形成されている。ただし、この凸部１３は、最長幅間隔線ｗの中間点ｏよりも外側の半径部分、すなわち小趾Ｌ側の最長幅間隔線ｗの半径部分から踵Ｈ側に、当該半径を直径とする半円分だけ拡張されている。また、凸部１３は、最長幅間隔線ｗの中間点ｏよりも内側の半径部分、すなわち母趾Ｇ側の最長幅間隔線ｗの半径部分からつま先Ｔ側に、当該半径を直径とする半円分だけ縮小されている。
【００３２】
なお、凹部１２および凸部１３は、最長幅間隔線ｗを基準に形成されているが、図２に示すように、母趾Ｇ側が内側に約２０度屈曲しているのに合わせて、この最長幅間隔線ｗから２０度内旋した内旋角度αの位置での内旋最長幅間隔線ｗ１を基準に、凹部１２および凸部１３を形成したものであってもよいし、最長幅間隔線ｗから内旋最長幅間隔線ｗ１の範囲までの所望の内旋角度αの位置を基準にして凹部１２および凸部１３を形成したものであってもよい。
【００３３】
また、凹部１２は、当該凹部１２の全ての範囲において中敷き本体１０よりも１ｍｍ低く形成されたものであってもよいし、図３に示すように、最も踵Ｈ側に近い部分からつま先Ｔ方向に２０ｍｍ以内の所望の範囲において、徐々に低く凹設されるようなテーパ面１２ａが形成されたものであってもよい。この際、凹部１２のうち、均一の深さに凹設された最深部１２ｂと、テーパ面１２ａとの境界部分は、最長幅間隔線ｗと平行するものであってもよいし（図３（ａ）参照）、平行せず斜めに傾斜するように境界線を形成するものであってもよいし（図３（ｂ）参照）、これらの線が直線ではなく円弧状となるように形成されたものであってもよい（図３（ｃ）参照）。
【００３４】
さらに、凸部１３は、当該凸部１３の全ての範囲において中敷き本体１０よりも２ｍｍ高く形成されたものであってもよいし、図４に示すように、最もつま先Ｔ側に近い部分から踵Ｈ方向に１０ｍｍ以内の所望の範囲において、徐々に高く凸設されるようなテーパ面１３ａが形成されたものであってもよい。この際、凸部１３のうち、均一の高さに凸設された最高部１３ｂと、テーパ面１３ａとの境界部分は、最長幅間隔線ｗと平行するものであってもよいし（図４（ａ）参照）、平行せず斜めに傾斜するように境界線を形成するものであってもよいし（図４（ｂ）参照）、これらの線が直線ではなく円弧状となるように形成されたものであってもよい（図４（ｃ）参照）。
【００３５】
また、凸部１３は、図５に示すように、当該凸部１３の踵Ｈ側に拡張された部分の最も踵Ｈ側に近い部分からつま先Ｔ方向に１０ｍｍ以内の所望の範囲において、徐々に高く凸設されるようなテーパ面１３ｃが形成されたものであってもよい。この際、凸部１３のうち、均一の高さに凸設された最高部１３ｂと、テーパ面１３ｃとの境界部分は、最長幅間隔線ｗと平行するものであってもよいし（図５（ａ）参照）、平行せず斜めに傾斜するように境界線を形成するものであってもよいし（図５（ｂ）参照）、これらの線が直線ではなく円弧状となるように形成されたものであってもよい（図５（ｃ）参照）。
【００３６】
次に、このようにして構成される中敷き１の使用方法について説明する。
【００３７】
まず、中敷き１は、使用する靴３の中底に合わせてつま先部１４および踵部１５を切断してから、当該靴３の内部に敷設する。
【００３８】
この時、靴３を履いた際に、使用者の足２の母趾球Ｂの位置が、凹部１２から拡張された部分に納まり、当該凹部１２と、凸部１３との境界線の段差に、母趾球Ｂの前端部分が引っかかるように調整して靴３の内部に中敷き１を敷設する。
【００３９】
この靴３を履くと、前記したように、母趾球Ｂが凹部１２に納まり、当該母趾球Ｂの前端部分が凹部１２と凸部１３との境界線の段差に引っ掛かり、母趾Ｇの中足骨の骨頭Ｐが、この段差によって圧迫される。この圧迫による反射により、使用者２は、短母趾屈筋が意識し易くなり、母趾Ｇに力が入りやすくなる。
【００４０】
また、前記したように母趾球Ｂが凹部１２に納まっても、踵Ｈの方向には、最長幅間隔線ｗを直径とする半円分の自由度があるので、母趾球Ｂを固定し過ぎてしまうようなことにはならない。
【００４１】
さらに、この状態で、使用者の第二趾以降の小趾Ｌ側は、凹部１２と凸部１３との段差によって第二趾以降の中足骨の骨頭が圧迫され、当該第二趾以降の足趾が踏ん張り易くなるとともに、小趾Ｌ側に向かうにしたがって、足趾が凸部１３に乗り上げることとなる。特に、凸部１３は、最長幅間隔線ｗの中間点ｏよりも外側の半径部分、すなわち小趾Ｌ側の最長幅間隔線ｗの半径部分から踵Ｈ側に、当該半径を直径とする半円分だけ拡張しており、小趾Ｌ側の凸部１３の面積を大きく形成しているので、母趾Ｇが設けられることとなる中敷き本体１０よりも高い凸部１３の上に小趾Ｌが乗り上げることとなり、使用者の荷重は、凸部１３よりも低い凹部１２にある母趾球Ｂに乗りやすくなる。したがって、母趾Ｇから小趾Ｌにかけて力が入りやすくなり踏ん張りが効くようになると同時に母趾球Ｂ側に荷重を加えやすくなるので、小趾Ｌに偏りがちであったボディバランスの崩れを、矯正することができる。しかも、使用者の第二趾以降の小趾Ｌ側は、凸部１３を拡張しており十分なスペースがあるので、当該凸部１３を基節骨の下に納めてしまうようなことにはならず、圧迫による反射によって、短小趾屈筋が意識しやすくなり、前記した母趾Ｇとともに、小趾Ｌにも力が入り易くなる。
【００４２】
また、図３ないし図５に示すように、テーパ面１２ａ，１３ａ，１３ｃを設けた中敷き１の場合は、中足骨の骨頭の圧迫のための凹部１２と凸部１３との間の段差以外の直接的に関係の無い部分の段差をなめらかにすることができるので、足裏の感覚受容器が不用意に反応して意図しない反射活動が行われることを防止することができる。
【００４３】
なお、本実施の形態において、中敷き１は、中敷き本体１０の厚みを基準として厚みが薄くなった凹部１２と厚みが厚くなった凸部１３とを形成しているが、中足骨の骨頭の圧迫のための凹部１２と凸部１３との間の段差以外の直接的に関係の無い部分の段差を無くして、図６に示すように、凹部１２よりも踵側の中敷き本体１０を、凹部１２と同じ厚みとなるように拡張して拡張凹部１２０を形成してもよいし（図６（ａ）（ｂ）参照）、凸部１３よりもつま先側の中敷き本体１０を、凸部１３と同じ厚みとなるように拡張して拡張凸部１３０を形成しても良い（図６（ａ）（ｃ）参照）。例えば、ハイヒールのように、つま先Ｔよりも踵Ｈが高くなって既につま先Ｔ側に荷重がかかり易くなっているような靴３に適用するような場合、この中敷き１は好適である。
【００４４】
また、図７に示すように、凸部１３は、当該凸部１３以外の部分全体を凹部１２と同じ厚みに形成し（図７（ｂ）参照）、または中敷き本体１０と同じ厚みに形成し（図７（ｃ）参照）、中敷き本体１０に凸部１３のみが形成されるようにしたものであってもよい。
この場合、中敷き本体１０の厚みに凸部１３のみを形成した中敷き１と比較して、凹部１２の厚みに凸部１３のみを形成した中敷き１の方は、段差が大きくなるため、使用者の足２の足底２１に加わる刺激が大きくなるが、この段差は、使用者の年齢、性別、感覚受容器の反応、ボディバランスの崩れ具合等の各要素を考慮して適宜調節した好適な段差のものを使用することが好ましい。
【００４５】
同じく、図８に示すように、凹部１２は、当該凹部１２以外の部分全体を凸部１３と同じ厚みに形成し（図８（ｂ）参照）、または中敷き本体１０と同じ厚みに形成し（図８（ｃ）参照）、中敷き本体１０に凹部１２のみが形成されるようにしたものであってもよい。この場合も、中敷き本体１０の厚みに凹部１２のみを形成した中敷き１と比較して、凸部１３の厚みに凹部１２のみを形成した中敷き１の方は、段差が大きくなるが、前記した使用者の各要素を考慮して適宜調節した好適な段差のものを用いることが好ましい。
【００４６】
したがって、本発明において、中敷き本体１０の厚みは２ｍｍ、凹部１２の厚みは１ｍｍ、凸部の厚みは４ｍｍとしているが、これらの厚みは、特に限定されるものではなく、前記した各要素に応じて適宜調節されたものが用いられる。
【００４７】
また、本実施の形態において、中敷き１は、凹部１２に使用者の足２の母趾球Ｂが納まり、当該母趾球Ｂの前端部分が凹部１２と凸部１３との段差に引っ掛かることで、足２の位置が決まるが、図９に示すように、当該凹部１２の最長幅間隔線ａの中間点ｏよりも内側のつま先Ｔ側に拡張された半円の中心部分に、当該凹部１２よりも高くなった突起部１２ｃが設けられていてもよい。この場合、母趾球Ｂ付近の感覚受容器が突起部１２ｃを感じることにより、使用者は、足２が納まる位置を把握し易くなる。ただし、突起部１２ｃは、最も厚みのある凸部１３の厚み以下の厚みとなるように形成されることが好ましい。
【００４８】
同様に、この足２が納まった状態で、小趾Ｌは、凸部１３に乗り上げて傾くため、母趾球Ｂ側に荷重を加えやすくなるが、当該凸部１３の最長幅間隔線ａの中間点ｏよりも外側の踵Ｈ側に拡張された半円の中心部分に、当該凸部１３の厚みよりも低くなった窪み部１３ｄが設けられていてもよい。この場合、小趾Ｌ付近の感覚受容器が窪み部１３ｄを感じることにより、使用者は、小趾Ｌで踏ん張る時に、短小趾屈筋を意識しやすくなり、その結果、力を入れやすくなる。
【００４９】
なお、上記実施の形態において、中敷き１は、靴３の中底に合わせたものを靴３の内部に敷設するようになされているが、予めこのように構成された中敷き１が設けられた靴３を構成するものであってもよい。この場合、靴３の種類としては、草履、スリッパ、サンダル、ハイヒール、スニーカー、ブーツ、長靴、革靴、各種スポーツ用シューズなど、中敷き１に、少なくとも自重の一部が加わる履物であれば、特に限定されるものではない。
【符号の説明】
【００５０】
１  中敷き
１０  中敷き本体
１１  賦形範囲（範囲）
１２  凹部
１２ａ  テーパ面
１２ｃ  突起部
１３  凸部
１３ａ  テーパ面
１３ｃ  テーパ面
１３ｄ  窪み部
１４  つま先部
１５  踵部
２  足
２１  足底
３  靴（履物）
Ａ  足長軸
ｗ  最長幅間隔線
ｗ１  内旋最長幅間隔線
ｏ  中間点
Ｔ  つま先
Ｈ  踵
Ｇ  母趾
Ｌ  小趾
Ｂ  母趾球
Ｐ  中足骨の骨頭
【図１】
2019150225.tif 000003
【図２】
2019150225.tif 000004
【図３】
2019150225.tif 000005
【図４】
2019150225.tif 000006
【図５】
2019150225.tif 000007
【図６】
2019150225.tif 000008
【図７】
2019150225.tif 000009
【図８】
2019150225.tif 000010
【図９】
2019150225.tif 000011